(57)【要約】【課題】強度が高く、手洗器の位置を便器に対して正確に合わせることができる便器装置を提供する。【解決手段】便器ユニット３と、便器ユニット３の後部上方に配置される手洗器ユニット４を具備する。便器ユニット３は、便器用フレーム６と、便器用フレーム６に取り付けられる便器２を備える。手洗器ユニット４は、手洗器用フレーム２７と、手洗器用フレーム２７に取り付けられる手洗器２８を備える。手洗器用フレーム２７は、手洗器２８が取り付けられる取付フレーム２９と、取付フレーム２９及び便器用フレーム６を連結する連結フレーム３０を有する。連結フレーム３０を、取付フレーム２９又は便器用フレーム６のうちの一方に対して前後位置調節自在に形成すると共に、他方に対して左右位置調節自在に形成する。【選択図】図１
2013144867.tif 000002
【特許請求の範囲】
【請求項１】
便器ユニットと、この便器ユニットの後部上方に配置される手洗器ユニットを具備し、前記便器ユニットは、便器用フレームと、この便器用フレームに取り付けられる便器を備え、前記手洗器ユニットは、手洗器用フレームと、この手洗器用フレームに取り付けられる手洗器を備え、前記手洗器用フレームは、前記手洗器が取り付けられる取付フレームと、この取付フレーム及び前記便器用フレームを連結する連結フレームを有し、この連結フレームを、前記取付フレーム又は前記便器用フレームのうちの一方に対して前後位置調節自在に形成すると共に、他方に対して左右位置調節自在に形成したことを特徴とする便器装置。
【請求項２】
前記取付フレームは手洗器側連結部を有し、前記便器用フレームは便器側連結部を有し、前記連結フレームは前記手洗器側連結部に連結される手洗器側被連結部と、前記便器側連結部に連結される便器側被連結部を有し、前記手洗器側連結部又は前記手洗器側被連結部のうちの一方に第一のねじ挿通用孔が設けられ、前記手洗器側被連結部は、前記第一のねじ挿通用孔に通した第一のねじ具を用いて前記手洗器側連結部に締結され、前記便器側被連結部又は前記便器側連結部のうちの一方に第二のねじ挿通用孔が設けられ、前記便器側被連結部は、前記第二のねじ挿通用孔に通した第二のねじ具を用いて前記便器側連結部に締結され、前記第一のねじ挿通用孔又は前記第二のねじ挿通用孔のうちの一方を、左右方向に貫通し且つ対応する前記ねじ具よりも大径の孔で構成すると共に、他方を前後方向に貫通し且つ対応する前記ねじ具よりも大径の孔で構成することで、前記連結フレームを、前記取付フレーム又は前記便器用フレームのうちの一方に対して前後位置調節自在にすると共に、他方に対して左右位置調節自在にしたことを特徴とする請求項１に記載の便器装置。
【発明の詳細な説明】
【技術分野】
【０００１】
本発明は便器と手洗器を具備する便器装置に関する。
【背景技術】
【０００２】
特許文献１には、洋風便器が開示されている。この洋風便器は、便鉢の後部上面にロータンクカバーが設置されている。ロータンクカバーの上部には、手洗鉢が設けられている。
【先行技術文献】
【特許文献】
【０００３】
【特許文献１】特開２００１−１２３４９６号公報
【発明の概要】
【発明が解決しようとする課題】
【０００４】
ところで、特許文献１においては、便座に座った利用者が手洗鉢やロータンクカバーに凭れた場合に変形等する恐れがある。
【０００５】
本発明は上記事情に鑑みてなされたものであって、強度が高く、手洗器の位置を便器に対して正確に合わせることができる便器装置を提供することを課題とする。
【課題を解決するための手段】
【０００６】
上記課題を解決するために本発明の便器装置は、便器ユニットと、この便器ユニットの後部上方に配置される手洗器ユニットを具備し、前記便器ユニットは、便器用フレームと、この便器用フレームに取り付けられる便器を備え、前記手洗器ユニットは、手洗器用フレームと、この手洗器用フレームに取り付けられる手洗器を備え、前記手洗器用フレームは、前記手洗器が取り付けられる取付フレームと、この取付フレーム及び前記便器用フレームを連結する連結フレームを有し、この連結フレームを、前記取付フレーム又は前記便器用フレームのうちの一方に対して前後位置調節自在に形成すると共に、他方に対して左右位置調節自在に形成したことを特徴とする。
【０００７】
また、前記取付フレームは手洗器側連結部を有し、前記便器用フレームは便器側連結部を有し、前記連結フレームは前記手洗器側連結部に連結される手洗器側被連結部と、前記便器側連結部に連結される便器側被連結部を有し、前記手洗器側連結部又は前記手洗器側被連結部のうちの一方に第一のねじ挿通用孔が設けられ、前記手洗器側被連結部は、前記第一のねじ挿通用孔に通した第一のねじ具を用いて前記手洗器側連結部に締結され、前記便器側被連結部又は前記便器側連結部のうちの一方に第二のねじ挿通用孔が設けられ、前記便器側被連結部は、前記第二のねじ挿通用孔に通した第二のねじ具を用いて前記便器側連結部に締結され、前記第一のねじ挿通用孔又は前記第二のねじ挿通用孔のうちの一方を、左右方向に貫通し且つ対応する前記ねじ具よりも大径の孔で構成すると共に、他方を前後方向に貫通し且つ対応する前記ねじ具よりも大径の孔で構成することで、前記連結フレームを、前記取付フレーム又は前記便器用フレームのうちの一方に対して前後位置調節自在にすると共に、他方に対して左右位置調節自在にすることが好ましい。
【発明の効果】
【０００８】
本発明にあっては、手洗器の強度を高めることができる。また、手洗器の位置を便器に対して正確に合わせることができる。
【図面の簡単な説明】
【０００９】
【図１】本発明のサイドカバーを取り外した便器装置の拡大斜視図である。
【図２】同上の便器装置の斜視図である。
【図３】同上のサイドカバーを取り外した便器装置の後側から見た拡大斜視図である。
【図４】同上の手洗器ユニットの前カバーを取り外した便器装置の拡大斜視図である。
【図５】同上の便器ユニットと手洗器ユニットを示す斜視図である。
【図６】同上の連結フレームを後フレームから取り外した便器装置の拡大斜視図である。
【図７】同上の取付フレームと連結フレームの斜視図である。
【発明を実施するための形態】
【００１０】
以下、本発明を添付図面に基づいて説明する。なお、以下の説明では、便器装置１の便器２に着座した利用者から見て前側を前方、後側を後方として説明する。
【００１１】
図２に示す本実施形態の便器装置１は、トイレ室後方の壁に沿ってトイレ室の床５に設置される。便器装置１は、便器ユニット３と、手洗器ユニット４を具備している。
【００１２】
便器ユニット３は、図３に示すように、便器用フレーム６と、便器用フレーム６に取り付けられる洋式の便器２を備えている。
【００１３】
便器用フレーム６は、下フレーム７、後フレーム８、前フレーム９、及び上フレーム１０を有している。図３では、便器２の左右のサイドカバー１１が取り外されている。
【００１４】
各フレーム７〜１０は断面矩形状の鋼管で構成され、金属製である。下フレーム７は、平面視環状に形成されている。下フレーム７は床５上に載置され、ボルト等の固着具５６により床５に固定される。
【００１５】
後フレーム８は、下フレーム７の後端部の左右両側端部の夫々に立設されている。前フレーム９は、下フレーム７の前後方向の中間部の左右両側端部の夫々に立設されている。後フレーム８とこの前方に位置する前フレーム９の上端部同士は、左右共に上フレーム１０によって連結されている。
【００１６】
両上フレーム１０には、装置ユニット１２が取り付けられる。装置ユニット１２は、便器ユニット３の付属装置である給水装置１３を有している。給水装置１３は給水源となる水道管に接続され、水道管から供給された水を便器２のボウル部１５内に吐出してボウル部１５の内面を洗浄する。すなわち、本実施形態の便器装置１は、ボウル部１５内に供給する水を溜めるためのタンクを有さないタンクレス式である。また、装置ユニット１２は、便器ユニット３の付属装置として、給水装置１３を制御するための制御部を有している。
【００１７】
便器ユニット３の外殻を構成する便器２は、便器用フレーム６及び装置ユニット１２を覆う。便器２は、図２に示されるように、前部を構成する前パーツ１６と、後部を構成する後パーツ１７で構成されている。
【００１８】
前パーツ１６は合成樹脂製である。前パーツ１６は、ねじ具（不図示）を用いて下フレーム７と前フレーム９の両者に取り付けられる。前パーツ１６は、ボウル部１５、リム部１８、及びスカート部１９で構成されている。
【００１９】
リム部１８は、上方に開口するボウル部１５の上縁から外周側に突出して、前パーツ１６の上面を構成する。スカート部１９は、平面視で後方に開口する略Ｃ字状に形成されている。スカート部１９により、ボウル部１５は覆われている。
【００２０】
ボウル部１５の下部には、図３に示す排水トラップ２０が接続される。ボウル部１５の水は排水トラップ２０を介して排水管に排出される。
【００２１】
図２に示されるように、後パーツ１７は、上端部を構成するトップカバー２１、後面部を構成するリアカバー２２、及び側面部を構成する左右のサイドカバー１１で構成されている。各カバー１１、２１、２２は合成樹脂製である。
【００２２】
トップカバー２１は、装置ユニット１２にねじ具（不図示）を用いて取り付けられると共に前パーツ１６に係合される。トップカバー２１により装置ユニット１２の上方が覆われる。
【００２３】
図４に示すように、トップカバー２１には上下方向に貫通して便器２の内外を連通させる開口２３が形成されている。前述の給水装置１３には、図示しない水道管から供給された水を手洗器ユニット４の蛇口２４に供給する給水管２５が接続される。また、排水トラップ２０には、手洗器ユニット４の排水口５４から排出された水を排水トラップ２０に導く排出管２６が接続される。給水管２５及び排出管２６は、開口２３を介して便器２の上方に引き出される。また、図２に示すリアカバー２２は、トップカバー２１に係合されると共に、下フレーム７にねじ具（不図示）によって取り付けられる。
【００２４】
手洗器ユニット４は、便器ユニット３の後部上方に配置される。図５のように、手洗器ユニット４は、手洗器用フレーム２７と、手洗器用フレーム２７に取り付けられる手洗器２８を備えている。
【００２５】
手洗器用フレーム２７は、図４に示されるように、取付フレーム２９と連結フレーム３０を有している。本実施形態では、縦長で平行な取付フレーム２９が左右に並べて二本設けられている。両取付フレーム２９は接続フレーム３３によって接続されている。
【００２６】
図７に示されるように、各取付フレーム２９は水平断面Ｌ字状のアングル材であり、金属製である。各取付フレーム２９は、前後方向に垂直な後片部３１と、後片部３１の他方の取付フレーム２９と反対側の端部から前方に突出する側片部３２で構成されている。
【００２７】
図５に示す手洗器２８は、両取付フレーム２９に取り付けられる。手洗器２８は、手洗器本体３９、後カバー４０、及び前カバー４１で構成されている。
【００２８】
手洗器本体３９には、上方に開口する容器状の水受部３８が形成されている。手洗器本体３９には、水受部３８に手洗い用の水を供給する蛇口２４が取り付けられている。
【００２９】
後カバー４０は上端部が手洗器本体３９に取り付けられる。後カバー４０は、両取付フレーム２９の後側を覆う。手洗器本体３９の下端部は、両取付フレーム２９の上端部に取り付けられる。両取付フレーム２９には、後カバー４０も取り付けられる。
【００３０】
図７に示す各取付フレーム２９の下端部は、連結フレーム３０が連結される手洗器側連結部３５を構成する。各取付フレーム２９の手洗器側連結部３５における側片部３２には、左右方向に貫通する第一のねじ挿通用孔３６が上下に離間して２つ設けられている。
【００３１】
各取付フレーム２９に連結される連結フレーム３０は、水平断面矩形状で縦長の鋼管であるフレーム本体４６と、フレーム本体４６に溶接等により固着された縦長のねじ孔付き板金４４で構成されている。
【００３２】
ねじ孔付き板金４４は、各フレーム本体４６の上端部における他方の取付フレーム２９と反対側の側面に沿って設けられる。このように各連結フレーム３０の上端部に設けられたねじ孔付き板金４４は、対応する取付フレーム２９の手洗器側連結部３５に連結される手洗器側被連結部を構成する。
【００３３】
各ねじ孔付き板金４４において、対応する取付フレーム２９の各ねじ挿通用孔３６に対応する位置には、第一の雌ねじ４３が形成されている。なお、各フレーム本体４６には、雌ねじ４３に挿通させた第一のねじ具３７（図４参照）を挿入するための挿入孔４５が形成されている。
【００３４】
各連結フレーム３０は、図４に示すように、ボルトで構成される第一のねじ具３７を用いて以下のように対応する取付フレーム２９に連結される。まず、取付フレーム２９の下端部の側片部３２の他方の取付フレーム２９側の側面に、連結フレーム３０に設けられたねじ孔付き板金４４を沿わせる。次に、取付フレーム２９の各ねじ挿通用孔３６に、ねじ具３７を連結フレーム３０と反対側から挿通し、各ねじ具３７を対応する雌ねじ４３に螺合して連結フレーム３０に固着し、各ねじ具３７の頭部と連結フレーム３０で取付フレーム２９を左右から挟み込む。これにより、連結フレーム３０のねじ孔付き板金４４（手洗器側被連結部）は、第一のねじ具３７により取付フレーム２９の手洗器側連結部３５に締結される。
【００３５】
各取付フレーム２９に連結された連結フレーム３０の下部は、図５に示すように手洗器ユニット４の後カバー４０よりも下方に突出する。
【００３６】
後カバー４０は、便器ユニット３のリアカバー２２上に載置される。後カバー４０の下端部における両側面部の前端面は、トップカバー２１の後縁に当接する、あるいは、トップカバー２１の後縁近傍に配置される。各連結フレーム３０のフレーム本体４６の下部は、便器２に形成された図４に示す開口２３を介して便器２内に挿入され、図１に示すように便器ユニット３の対応する後フレーム８の後面に沿って配置される。
【００３７】
各フレーム本体４６の便器２内に挿入される下端部は、対応する後フレーム８に連結される便器側被連結部４７を構成する。各フレーム本体４６の便器側被連結部４７には、図６のように、前後方向に貫通する第二のねじ挿通用孔４８が上下に離間して２つ設けられている。
【００３８】
他方、便器用フレーム６の各後フレーム８は、水平断面矩形状で縦長の鋼管であるフレーム本体５０と、フレーム本体４６に溶接等により固着されたねじ孔付き板金５１で構成されている。
【００３９】
ねじ孔付き板金５１は、各フレーム本体５０の上部の後面に沿って設けられる。各後フレーム８に設けられたねじ孔付き板金５１は、対応する連結フレーム３０の便器側被連結部４７が連結される便器側連結部を構成する。
【００４０】
各ねじ孔付き板金５１において、対応する連結フレーム３０の各ねじ挿通用孔４８に対応する位置には、第二の雌ねじ（不図示）が形成されている。各フレーム本体５０には、各第二の雌ねじに前方から第二のねじ具４９（図１参照）を挿入できるように、前後方向に貫通して第一のねじ具４９を挿通可能な貫通孔５３が形成されている。
【００４１】
各連結フレーム３０は、ボルトで構成される第二のねじ具４９を用いて以下のように便器用フレーム６の対応する後フレーム８に連結される。まず、図１に示すように後フレーム８の上部に設けられたねじ孔付き板金５１の後面に連結フレーム３０を沿わせる。次に、後フレーム８の前方から各貫通孔５３にねじ具４９を通し、これらねじ具４９を用いて連結フレーム３０を後フレーム８に連結する。具体的には、前記貫通孔５３に通されたねじ具４９をねじ孔付き板金５１の対応する第二の雌ねじに螺合して後フレーム８に固着し、このねじ具４９の雄ねじを対応するねじ挿通用孔４８に通して連結フレーム３０の後方に突出させる。そして、このように連結フレーム３０の後方に突出したねじ具４９の雄ねじに図示しないナットを螺合し、このナットとねじ具４９の頭部で、後フレーム８及び連結フレーム３０を前後から挟み込む。これにより、連結フレーム３０の便器側被連結部４７は、ねじ具４９により後フレーム８のねじ孔付き板金５１（便器側連結部）に締結される。
【００４２】
すなわち、手洗器ユニット４を床５に固定された便器ユニット３に取り付けるには、まず、図４のように前カバー４１を取り外した手洗器ユニット４の各連結フレーム３０を前述したように開口２３から便器２に挿入する。これにより、各連結フレーム３０のフレーム本体４６の下端部を、後フレーム８の対応するねじ孔付き板金５１の後面に沿って配置する。そして、便器２のサイドカバー１１を取り外すことで形成された開口５５（図６参照）から手を入れて、前述のように、各連結フレーム３０をねじ具４９を用いて対応する後フレーム８に連結する。
【００４３】
図２に示す手洗器２８に設けられた蛇口２４には、一端が給水装置１３に接続された給水管２５の他端が接続される。これによって、給水装置１３から蛇口２４への水の供給が可能になる。手洗器本体３９の水受部３８の底部に設けられた排水口５４には、一端が排水トラップ２０に接続された排出管２６（図４参照）の他端が接続される。これによって、水受部３８の排水口５４から排出された水は排水トラップ２０を介して排出管２６から排出される。
【００４４】
図２に示す手洗器２８の前カバー４１は、手洗器本体３９、後カバー４０、及び便器ユニット３のトップカバー２１の夫々に係合することで、着脱自在に取り付けられる。前カバー４１は、下端面がトップカバー２１の後端部の上面に当接され、上端面が手洗器本体３９の下端面に当接される。前カバー４１は、手洗器本体３９とトップカバー２１の間に存在する、給水管２５、排出管２６、各取付フレーム２９を覆う。なお、各連結フレーム３０は、図５に示すように前カバー４１よりも下方に突出する。
【００４５】
図２に示すように、便器ユニット３に取り付けられた手洗器ユニット４は、手洗器本体３９、後カバー４０、及び前カバー４１で構成された外郭が便器ユニット３の外郭を構成する便器２と連続する。これにより、便器装置１は一体的な外観となる。
【００４６】
便器ユニット３の前パーツ１６の上面部には、図示しない便座ユニットが取り付けられる。便座ユニットは、回動自在な便座及び便蓋を有し、トップカバー２１の前方に配置される。また、各サイドカバー１１は、前パーツ１６及びリアカバー２２の夫々に係合されることで着脱自在に取り付けられる。
【００４７】
ここで、本実施形態の各連結フレーム３０は、以下に示すように対応する後フレーム８に対して左右位置及び上下位置を調節できるようになっている。
【００４８】
各連結フレーム３０の各ねじ挿通用孔４８は、図６に示すように、対応するねじ具４９の雄ねじ及び便器用フレーム６の対応する第二の雌ねじよりも大径の孔で構成されている。このため、各ねじ挿通用孔４８には、左右方向及び上下方向の位置を微調節してねじ具４９を挿通できるようになっている。なお、各第二の雌ねじの図示は省略するが、第一の雌ねじ４３と同様に円形の孔の内周面にねじを設けたものである。
【００４９】
上記により、各連結フレーム３０は、例えば各ねじ挿通用孔４８に通したねじ具４９の前記ナットに対する螺合を緩めた状態で、対応する後フレーム８に対して左右方向や上下方向に移動することができる。そして、このように連結フレーム３０を後フレーム８に対して移動した後、各ねじ具４９を前記ナットにしっかりとねじ込むことにより、各連結フレーム３０を後フレーム８に対する左右位置及び上下位置を調節した状態で固定することができる。このため、例えば連結フレーム３０の長手方向を対応する後フレーム８の長手方向と平行にしたり傾けたりして、各連結フレーム３０を後フレーム８に対して左右方向に回動し、後フレーム８に対する角度を微調節することができる。
【００５０】
また、本実施形態の各連結フレーム３０は、以下に示すように対応する取付フレーム２９に対して前後位置及び上下位置を調節できるようになっている。図７に示すように、各連結フレーム３０の各ねじ挿通用孔３６は、対応するねじ具３７の雄ねじ及び取付フレーム２９の雌ねじ４３よりも大径の孔で構成されている。このため、各ねじ挿通用孔３６には、ねじ具３７を前後方向及び上下方向の位置を微調節して挿通できるようになっている。
【００５１】
各連結フレーム３０は、例えば各ねじ挿通用孔３６に通したねじ具３７の雌ねじ４３に対する螺合を緩めた状態で、対応する取付フレーム２９に対して前後方向や上下方向に移動することができる。そして、このように連結フレーム３０を取付フレーム２９に対して移動した状態で、各ねじ具３７を雌ねじ４３にしっかりとねじ込むことにより、各連結フレーム３０を取付フレーム２９に対する前後位置及び上下位置を調節した状態で固定することができる。このため、例えば連結フレーム３０の長手方向を対応する取付フレーム２９の長手方向と平行にしたり傾けたりして、各連結フレーム３０を対応する取付フレーム２９に対して前後方向に回動し、取付フレーム２９に対する角度を微調節することができる。
【００５２】
以上説明した便器装置１は、手洗器２８を手洗器用フレーム２７に取り付けると共に、手洗器用フレーム２７を便器用フレーム６に連結する。このため、手洗器ユニット４の強度を高め、便座に座った利用者が手洗器ユニット４に凭れる等した場合に、手洗器ユニット４が変形等することを抑制できる。
【００５３】
また、本実施形態では、連結フレーム３０を、取付フレーム２９に対して前後位置調節自在に形成すると共に、便器用フレーム６に対して左右位置調節自在に形成している。このため、取付フレーム２９に対して連結フレーム３０の前後位置を調節すると共に、便器用フレーム６に対して連結フレーム３０の左右位置を調節することで、取付フレーム２９の前後位置及び左右位置を調節することができる。また、このように取付フレーム２９の位置を調節することで、取付フレーム２９に取り付けられる手洗器２８の位置を、便器用フレーム６に取り付けられる便器２に対して合わせることができる。
【００５４】
また、本実施形態では、連結フレーム３０を取付フレーム２９に対して前後位置調節自在に形成すると共に、便器用フレーム６に対して左右位置調節自在に形成するにあたって、以下のように構成している。
【００５５】
すなわち、連結フレーム３０は、取付フレーム２９の手洗器側連結部３５に連結されるねじ孔付き板金４４（手洗器側被連結部）と、便器用フレーム６のねじ孔付き板金５１（便器側連結部）に連結される便器側被連結部４７を有している。手洗器側連結部３５には第一のねじ挿通用孔３６が設けられ、ねじ孔付き板金４４はねじ挿通用孔３６に通した第一のねじ具３７を用いて手洗器側連結部３５に締結される。また、便器側被連結部４７には第二のねじ挿通用孔４８が設けられ、便器側被連結部４７はねじ挿通用孔４８に通した第二のねじ具４９を用いてねじ孔付き板金５１に締結される。そして、第一のねじ挿通用孔３６を左右方向に貫通し且つ対応するねじ具３７よりも大径の孔で構成すると共に、第二のねじ挿通用孔４８を前後方向に貫通し且つ対応するねじ具４９よりも大径の孔で構成している。このように本実施形態においては、簡易構成により、連結フレーム３０を取付フレーム２９に対して前後位置調節自在にすると共に、便器用フレーム６に対して左右位置調節自在にすることができる。
【００５６】
なお、連結フレーム３０は、便器用フレーム６に対して左右位置調節自在に形成すると共に取付フレーム２９に対して前後位置調節自在に形成してもよい。
【００５７】
また、連結フレーム３０を取付フレーム２９に前後位置又は左右位置調節自在に形成するにあたって以下のようにしてもよい。すなわち、手洗器側被連結部に第一のねじ挿通用孔を設け、この第一のねじ挿通用孔に通した第一のねじ具を手洗器側連結部側に設けた第一の雌ねじに螺合して手洗器側被連結部を手洗器側連結部に締結する。そして、第一のねじ挿通用孔を第一のねじ具の雄ねじよりも大径の孔で構成する。また、第一のねじ具を螺合する雌ねじはナットで構成しても構わない。また、本実施形態では、連結フレーム３０を取付フレーム２９に二本のねじ具３７を用いて連結したが、１本又は３本以上のねじ具を用いて連結してもよい。勿論、この場合も、同様にねじ挿通用孔を対応するねじ具の雄ねじよりも大径の孔とし、連結フレーム３０を取付フレーム２９に対して前後位置又は左右位置調節自在とする。また、その他の手段により、連結フレーム３０を取付フレーム２９に前後位置又は左右位置調節自在に連結してもよい。
【００５８】
また、連結フレーム３０を便器用フレーム６に前後位置又は左右位置調節自在にするにあたって以下のようにしてもよい。すなわち、便器側連結部に第二のねじ挿通用孔を設け、この第二のねじ挿通用孔に通した第二のねじ具を便器側被連結部側に設けた雌ねじに螺合して便器側被連結部を便器側連結部に締結する。そして、第二のねじ挿通用孔を第二のねじ具の雄ねじよりも大径の孔で構成する。また、第二のねじ具を螺合する雌ねじはナットで構成しても構わない。また、本実施形態では、連結フレーム３０を便器用フレーム６に二本のねじ具３７を用いて連結したが、１本又は３本以上のねじ具を用いて連結してもよい。勿論、この場合も同様にねじ挿通用孔を対応するねじ具の雄ねじよりも大径の孔とし、連結フレーム３０を便器用フレーム６に対して前後位置又は左右位置調節自在とする。
【符号の説明】
【００５９】
２  便器
３  便器ユニット
４  手洗器ユニット
６  便器用フレーム
２７  手洗器用フレーム
２８  手洗器
２９  取付フレーム
３０  連結フレーム
３５  手洗器側連結部
３６  第一のねじ挿通用孔
３７  第一のねじ具
４７  便器側被連結部
４８  第二のねじ挿通用孔
４９  第二のねじ具
【図１】
2013144867.tif 000003
【図２】
2013144867.tif 000004
【図３】
2013144867.tif 000005
【図４】
2013144867.tif 000006
【図５】
2013144867.tif 000007
【図６】
2013144867.tif 000008
【図７】
2013144867.tif 000009